(57)【特許請求の範囲】
【請求項１】
張設された支持線の上面から両側面にわたって略摺接する状態で鋤状の解放爪を有するハンガー取外し装置を移動させ、支持線とその下位置の既設線を連結するハンガーにハンガー取外し装置の解放爪が当接することによりハンガーの支持線掴持屈曲部を引き起こしてその掴持を解き、順次既設線の抱持状態を解除すると同時に、解放爪後部の位置に連結した新設ケーブルおよびそれを抱持するとともに支持線も同時に包囲したスパイラルハンガー内に既設線を導入して、工事径間のハンガーの取外しが終了すれば同時にスパイラルハンガーによる既設線および新設ケーブルの架線が完了することを特徴とする新旧線一束化架設工法。
【請求項２】
支持線の上面部に略摺接して案内するガイド溝の一側には先端が支持線下面位置より上面にかけて傾斜し、傾斜部の上面外側位置にはガイド溝側に向けて斜辺を備えたガイド突起を有する解放爪Ｌを、他側には支持線中間部位置より上面にかけて傾斜し、先端を尖らせた解放爪Ｓを連続して配置して解放爪部を構成し、該解放爪部のガイド溝延長線上には連続して半割円筒状のガイド筒を連接し、該ガイド筒に支持線に乗架するローラーを備えた支持線乗架部および既設線をガイドするケーブルガイド部を連設し、さらに牽引ロープ、新設ケーブルとスパイラルハンガーの連結部を備えたことを特徴とする請求項１に記載の新旧線一束化架設工法に使用するハンガー取外し装置。
【発明の詳細な説明】
【０００１】
【発明の属する技術分野】
本願発明は通信線の増設あるいは張替え工事に使用する工具に関するものであり、特には、支持線（メッセンジャーワイヤ）に吊架された既設線（メタルケーブル）に新設ケーブル（メタルケーブルおよび光ファイバーケーブル等）を増設する工事、あるいは既設線を撤去して新設ケーブルに取り替える工事等において、既設のケーブルハンガーを取り外す工程で使用する装置に関するものである。
【０００２】
【従来の技術】
社会情勢の変化により、大容量の情報通信ネットワーク構築が急務となっているが、その方策の一つとして、従来の設備であるメタルケーブルに光ファイバーケーブルを併設する工事が進められている。
メタルケーブルは、架空構造物の各電柱間で必要な地上高を確保するための張力に耐えうる鋼撚線からなる支持線にケーブルハンガーで所定間隔に、ケーブル本体内部に過度な張力が加わらない状態で設置されているが、このメタルケーブルに新設ケーブルを併設するためには、ケーブルハンガーより既設線を取り出し、両者を平行配置して再び新規なハンガーで吊架状態とする必要がある。
【０００３】
よって既設線を単線状態で抱持していた旧来のケーブルハンガーを支持線より取り外す作業が必要となるが、ケーブルハンガーは既設線を抱持して支持線上の定位置を確保して半永久的に係止すべく両端部の屈曲部で支持線を強固に掴持しているため、また、支持線の位置が地上数メートルの位置であるため、容易な作業ではなかった。
一般的には高所作業車の使用または支持線に簡易なゴンドラを乗架し、作業員が乗り込んで電柱径間のケーブルハンガーを順次取り外して移動して行くものである。
【０００４】
【発明が解決しようとする課題】
上記したような状況の作業においては、種々の課題が発生するものであった。
通信線は道路際の電柱に架線される場合がほとんどであるため、高所作業車の配置は容易であるが、通行量の激しい道路での作業時間は当然制約されるものである。また時間的な制約の少ない地方道であっても、一箇所の作業にはアウトリガーの準備をして作業に入っても、バケットアームの伸縮を利用して到達できるケーブルハンガーの数は限られており、投入する設備、人員を考慮すると非常に効率の悪い作業である。
また、簡易なゴンドラを乗架しての作業においても、危険を伴う高所作業であり、老朽化した支持線では採用できない工法であった。
【０００５】
【課題を解決するための手段】
本願では以上のような課題を解決するため、地上よりの作業を主体とした工法およびそれに使用する機材を開発したものである。
本願工法の概略は、支持線にケーブルハンガーの取外し装置を乗架し、電柱径間を地上よりの牽引で走行させ、ハンガーの両端支持線掴持屈曲部が支持線を掴持する部分を押し上げ解除して、跳ね除け、径間端まで順次移動させるものである。
取外し装置の後端には新規にスパイラルハンガーで抱持された新設ケーブルが接続されており、支持線もこのスパイラルハンガー内に囲抱されているため、取外し装置が径間端に至った際には既設線と新設ケーブルがスパイラルハンガーで支持線に抱持併設されることとなる。
機材の概略は、支持線を上下からローラーによって挟着して乗架する支持線乗架部と、その前部に連続する解放爪部と、支持線乗架部の一側とヒンジ結合されて開放可能で、ハンガーによる抱持を解かれ後方へ垂れ下がる既設線をガイドするケーブルガイド部よりなる。
またケーブルガイド部には本装置を径間内で移動させるための牽引ロープおよび本来の目的である併設用の新設ケーブルとスパイラルハンガーの連結部を設ける。
解放爪部の先端には前後位置をずらして解放爪Ｌ、Ｓが配置されており、この解放爪がハンガーの屈曲部を引き起して解放を行い、支持線よりハンガーの離脱を完成させる。
本願においてはこの爪の作用が最も重要なものであり、発明の中心をなす。
【０００６】
【実施例】
本願実施例を示す。
まず機材であるハンガー取外し装置であるが、最先端に位置する解放爪部５と連続する支持線乗架部４および支持線乗架部４の下位置で既設線を後続のスパイラルハンガー内にガイドするケーブルガイド部６が主要構成部材となる。
【０００７】
解放爪５の構造を述べる前にケーブルハンガーＨの構成を記す。
図１６に示すように、ケーブルハンガーＨは鋼線材によって形成されており、中間部を略Ｕ字状に曲げ、そのＵ字底に樹脂製の保護片を重合するとともに９０度捻ってＵ字底に載置するケーブルＣが支持線Ｗと並行する構成である。
ハンガーＨの両端部は支持線Ｗを掴持するため、屈曲が施されている。この両端の支持線掴持屈曲部は類似形状であるが同一ではなく、互いに逆方向へ曲げられているとともに、一方は屈曲角度が深く、他方は浅い。
これは支持線Ｗへの取付け、取外しを考慮したもので、取付け時には先ず屈曲の深い方を先に支持線Ｗに嵌め、次に鋼線材の弾力に抗しながら浅い方を嵌める。この鋼線材の弾力によって支持線Ｗ上の定位置を保持するものである。
また、ハンガーＨの屈曲角度の深い支持線掴持屈曲部は、傾斜地での風圧等による振動からハンガーの支持線滑りによる移動を防止する役目を持ち、傾斜方向に対し下側に深い支持線掴持屈曲部を設置することで長期の自然現象による移動及びケーブルの垂れ下がりを防止している。
またこの支持線掴持屈曲部は互いに逆方向へ曲げ加工されているため、支持線Ｗの延伸方向に対し、一方が右方向から支持線Ｗ上へ被さる係止を行えば、他方は左から係止を行うものである。
本願の装置はこのケーブルハンガーＨの屈曲の浅い方を先ず解放し、その時生じる弾力を利用して他方の屈曲部を跳ねさせ、支持線への係止を解くことで成立する。
【０００８】
解放爪部５は全体として略鋤状を形成するものであり、幅広で支持線Ｗの下面位置より順次高くなる略円弧状の上下傾斜を持つ解放爪Ｌと支持線Ｗの中間位置より同様の上下傾斜を持ち、支持線中心方向へ略水平傾斜して先端が尖った解放爪Ｓと両爪の間に支持線Ｗを略摺接嵌入するガイド溝５１を配してなる。また解放爪Ｌにはその傾斜面上にガイド突起５２が設けられている。ガイド突起５２は支持線Ｗの延伸方向に対し約４５度程度の略水平傾斜を持って形成される。
解放爪ＬとＳには長さに差があり、幅広の爪Ｌ先端と尖った爪Ｓ先端には約１０ｍｍ差があり、Ｌの方が長い。
【０００９】
解放爪部５によるハンガーＨの解放状況を図７から図１３を参考に説明する。
地上よりの牽引によりハンガーＨに至った解放爪部５は、先ず屈曲の浅い端部Ｈ１を解放爪Ｌがすくい上げる。（図７、８）端部Ｈ１は解放爪Ｌの傾斜上を登りガイド突起５２の斜辺５３に押される形で支持線Ｗへの掴持を解く方向（図面上で上方向）へ移動し屈曲部Ｈ２と支持線側部に間隙ができる。（図９、１０）解放爪Ｌと解放爪Ｓに差があるのは、この支持線側部の間隙ができた後解放爪Ｓが進入するための時間差を得るためである。やがて解放爪Ｓが到達すると自ずとこの間隙内へ入り、その側斜辺５４がさらに鋼線材の弾力に抗して屈曲部Ｈ２を押し広げ、端部Ｈ１は支持線Ｗへの掴持を解いて解放爪Ｓ上に乗り（図１１、１２）やがて側斜辺５４の終端に至り（図１３）解放爪Ｓより外れると、それまで鋼線材に蓄積された弾力抵抗が一気に解かれ、その反動でまだ支持線Ｗに係止していた他端の屈曲部も支持線Ｗより外れる。
【００１０】
解放爪部５のガイド溝５１の延長線上には半円筒状のガイド筒５５が開放部を下向きに接続され、ガイド筒５５後部上側にヒレ部５６を設ける。
よって、解放爪部５のヒレ部５６により支持線乗架部４が連設される。
支持線乗架部４は、支持線Ｗを上下より挟持する、前後一対の乗架ローラー１１とその下位置に対向して配置するガイドローラー２１を乗架フレーム部１に軸支３して構成する。
両ローラー１１，２１間の空間一側は開放可能で支持線Ｗはこの開放部より両ローラー１１，２１間に嵌入する。
ガイドローラー２１は支持線Ｗに対する摺接抵抗を変化させるため乗架フレームを上下方向に移動可能とする別体の移動フレーム２に軸支し、この移動フレーム２の上下調整は乗架フレーム１外に突出する軸頭３１に直角に設けたボルト３２の上下調整ネジ３３で行う。
この支持線Ｗに対する摺接抵抗を調整自在とするのは、先に述べた解放爪５をハンガー端部の屈曲端に確実に当接させるため、あるいは支持線Ｗと屈曲部が形成する間隙に的確に挿入するための手段である。
つまり上下のローラーで緊密に支持線Ｗをを挟持すれば爪の先端は問題なくハンガー端部に当接、あるいは間隙内に進入するが牽引時の張力が過大となりすぎ、支持線その他の施設、装置に損傷を加えることが考えられる。また挟持が緩過ぎれば爪の挙動が安定しない。よって工事径間の状況により適宜調整を行うものである。
【００１１】
乗架フレーム部１の下端にはケーブルガイド部６の一端をヒンジ１２結合する。
ケーブルガイド部６には、既設線Ｃをガイドする受けローラー６１を設けると共に、連結部６２と補助板部６３、さらに中央下部に重錘６４を設ける。
なお、受けローラー６１は、ケーブルガイド部６のフレーム軸穴を長穴とし、受けローラー６１のサブフレーム下部に軸を連結し、該軸に螺合したツマミ６７を回動することにより上下移動可能であり、太いケーブル時に受けローラー６１を下げて移動フレーム２との干渉を避けるようにしたものである。
ケーブルガイド部６の他端は開放閉鎖可能に連結板６５にて乗架フレーム部１とを橋絡し、固定ネジ１３により閉鎖状態とする。
【００１２】
乗架フレーム部１上にはカバー用フレーム７を設け、該カバー用フレーム７にカバー８の上側カバー８１を被せ、該上側カバー８１の下部に下側カバー８２を面ファスナー８３により連結し、全体を包囲し、カバー８内に取外したハンガーＨを収納する。
【００１３】
図５は、ハンガー取外し装置の他の実施例を示すもので、解放爪部５のガイド筒５５の一方に蝶番部５７を設け、他方にネジ５８を設け、ガイド筒部を開放閉鎖可能とし、ガイド筒５５内に支持線Ｗを嵌入し、ケーブルガイド部６として略Ｃ字状の環を設け、該環下部に連結部６２を設け、該連結部６２にシャックルを介して牽引ロープＲを設けた構造のものであり、ケーブルガイド部６の環に既設線Ｃを乗架するので既設線Ｃの重量によりハンガー取外し装置の姿勢制御を成すものである。
なお、ガイド筒５５後方にローラー５９を設けているが、設けなくても良い。
【００１４】
図６は、ハンガー取外し装置の更に他の実施例を示すもので、支持線Ｗの上面部に略摺接して案内するガイド溝５１の一側には先端が支持線下面位置より上面にかけて傾斜し傾斜部の上面外側位置にはガイド突起５２を有する解放爪Ｌを、他側には支持線中間部位置より上面にかけて傾斜し、先端を尖らせた解放爪Ｓを連続して配置して解放爪部５を構成し、解放爪部５にコ字状フレーム６０を介して設け、このフレーム６０に伸縮式の操作棒Ｂを連結したものである。
なお、操作棒Ｂ先端部に牽引ロープを設けることにより、さらに作業性が向上する。
以上のように、先記したものは、電柱径間毎に取外し装置を支持線Ｗより取り外すために作業者は電柱に昇降しなければならないが、本実施例は、操作棒Ｂを持上げることにより支持線Ｗより外すことができ、次径間の支持線Ｗへ簡単に乗せ変えることができる。よって、引き続き次径間の延線が可能であり能率向上と共に、高所作業が減少し墜落災害の発生が確実に減少する。
また、操作棒Ｂに設置して使用する本実施例は、ケーブルハンガーＨの両端末の支持線掴持屈曲部の設置方向が電柱径間の一部で反対であった場合、別作業者による操作でケーブルハンガーＨの一部撤去が可能となり、先記のハンガー取外し装置Ａによる連続進行が可能となる。
【００１５】
図１４は本願カバー８の斜視図であり、上側カバー８１と下側カバー８２とに分割すると共に、カバーの前後（支持線と既設線の挿通方向）は切り離し面ファスナーで止めるようにし、隙間より牽引ロープＲを引き出して使用するものである。
材質は、透明ビニール製により製作し、ほぼ中央で面ファスナー８３により連結するもので、外れたケーブルハンガーＨを下側カバー８２に受止め収納するタイプである。
なお、図面では下側カバー８２を上側カバー８１と同じ形状としたものであるが、この他に下側カバー８２の下側を開放し、その下側周囲に紐を挿通し、その紐を絞り込んで閉鎖するものでも良い。この場合は、下側カバー８２内に収納したケーブルハンガーＨの回収は、紐を解いて開放すれば行えるものである。
【００１６】
図１５は本願カバー８の他の実施例斜視図であり、上側カバー８１と下側カバー８２とに分割し、透明ビニール製により製作し、前記と相違するところは、下側カバー８３を長くして、地上まで垂れ下げて順次落ちてくるケーブルハンガーＨを回収するタイプのものである。
【００１７】
本願は前記したハンガー取外し装置を用いることにより新旧線一束化架設工法を完成させることができる。
図１は工法の概略を示すもので、電柱Ｐ間に張設された支持線Ｗの上面から両側面にわたって略摺接する状態で鋤状の解放爪部５を移動させ、支持線Ｗとその下位置の既設線Ｃを連結するケーブルハンガーＨに解放爪Ｌ，Ｓが当接することによりケーブルハンガーＨの支持線掴持屈曲部Ｈ２を引き起こしてその掴持を解き、順次既設線Ｃの抱持状態をハンガー取外し装置Ａにより解除すると同時に、ハンガー取外し装置Ａの解放爪部５後部の位置に連結した新設ケーブルＦおよびそれを抱持するとともに支持線Ｗも同時に包囲したスパイラルハンガーＳＨ内に既設線Ｃを導入して、工事径間のケーブルハンガーＨの取外しが終了すれば同時にスパイラルハンガーＳＨによる既設線Ｃおよび新設ケーブルＦの架線が完了するものである。
【００１８】
本願のハンガー取外し装置の工法においての使用方法を図１から図４により説明する。
本願装置を電柱Ｐ際の支持線Ｗに支持線乗架部４を乗架するのであるが、先ず、図３のように、連結板６５の固定ネジ１３を緩めて連結板６５を開放すると共に、調整ネジ３３を回転してローラー１１，２１間を広げる。そして乗架部のローラー１１，２１間に支持線Ｗを嵌入し、再び調整ネジ３３を回転して支持線Ｗを上下より挟持する。続いてケーブルガイド部６に既設線Ｃを受止め連結板６５により開放部を閉鎖し、固定ネジ１３により固定する。この時、既設線Ｃの太いものについては、受けローラー６１の下部のツマミ６７を回動し、受けローラー６１を下げて上側の移動フレーム２との干渉を避けておくものである。
続いて、前方（解放爪部５側）の牽引ロープ取付部６２に牽引ロープＲを取付け、後方の連結部６６に新設ケーブルＦとスパイラルハンガーＳＨの先端を直接あるいは先導リングを介して取付けると共に、支持線Ｗと既設線Ｃも同時にスパイラルハンガーＳＨ内に包囲するものである。
次に、支持線乗架部４上に設けたカバー用フレーム７に上側カバー８１を被せ、その上側カバー８１下部に下側カバー８２を面ファスナー８３により取付け、セット完了となるものである。
作業者は、カバー８の面ファスナーで閉じる隙間から引き出し垂れ下がった牽引ロープＲを持って電柱Ｐ間を移動すると、電柱Ｐ間のケーブルハンガーＨを順次取外して行き、外れたケーブルハンガーＨは、下側カバー８２内に受止め収納し、後続にはスパイラルハンガーＳＨによる支持線Ｗ，既設線Ｃおよび新設ケーブルＦの架線が完了するものである。
以上のように、電柱径間ごとに、本ハンガー取外し装置を付け直し行うものである。
【００１９】
【発明の効果】
以上のように本願のハンガー取外し装置を使用することにより、作業者は地上より牽引ロープを持って電柱間を移動するだけでケーブルハンガーを取り外すことができると共に、新旧線の一束化延線が可能となる。
また、作業者は長時間の高所作業から解放され、地上よりの作業となり、作業者の負担も軽減され、効率が良く安全な作業ができる。
また、従来は常に高所より墜落の危険にさらされていたが、本願では、電柱際で装置の取付，取外し時のみ高所作業するだけで良いので墜落災害が確実に減少する。
【図面の簡単な説明】
【図１】本願工法の概略正面図。
【図２】本願ケーブルハンガー取外し装置の斜視図。
【図３】本願ケーブルハンガー取外し装置の開放側面図。
【図４】本願ケーブルハンガー取外し装置の使用状態正面図。
【図５】本願ケーブルハンガー取外し装置の他の実施例斜視図。
【図６】本願ケーブルハンガー取外し装置の更に他の実施例斜視図。
【図７】本願の解放爪部によるケーブルハンガー解放状況説明図。
【図８】図７の正面図。
【図９】本願の解放爪部によるケーブルハンガー解放状況説明図。
【図１０】図９の正面図。
【図１１】本願の解放爪部によるケーブルハンガー解放状況説明図。
【図１２】図１１の正面図。
【図１３】本願の解放爪部によるケーブルハンガー解放状況説明図。
【図１４】本願カバーの斜視図。
【図１５】本願カバーの他の実施例斜視図。
【図１６】ケーブルハンガーの側面図。
【符号の説明】
１  乗架フレーム部
２  移動フレーム
３  軸
４  支持線乗架部
５  解放爪部
６  ケーブルガイド部
７  カバー用フレーム
８  カバー
１１  乗架ローラー
１２  ヒンジ
１３  固定ネジ
２１  ガイドローラー
３１  軸頭
３２  ボルト
３３  調整ネジ
５１  ガイド溝
５２  ガイド突起
５３  斜辺
５４  側斜辺
５５  ガイド筒
５６  ヒレ部
５７  蝶番部
５８  ネジ部
５９  ローラー
６０  コ字状フレーム
６１  受けローラー
６２  牽引ロープ取付部
６３  補助板部
６４  重錘
６５  連結板
６６  連結部
６７  ツマミ
８１  上側カバー
８２  下側カバー
８３  面ファスナー
Ａ    ハンガー取外し装置
Ｂ    操作棒
Ｃ    既設線
Ｆ    新設ケーブル
Ｈ    ケーブルハンガー
Ｈ１  端部
Ｈ２  屈曲部
Ｌ    解放爪
Ｓ    解放爪
ＳＨ  スパイラルハンガー
Ｐ    電柱
Ｒ    牽引ロープ
Ｗ    支持線
【図１】
0003730909.tif 000002
【図２】
0003730909.tif 000003
【図３】
0003730909.tif 000004
【図４】
0003730909.tif 000005
【図５】
0003730909.tif 000006
【図６】
0003730909.tif 000007
【図７】
0003730909.tif 000008
【図８】
0003730909.tif 000009
【図９】
0003730909.tif 000010
【図１０】
0003730909.tif 000011
【図１１】
0003730909.tif 000012
【図１２】
0003730909.tif 000013
【図１３】
0003730909.tif 000014
【図１４】
0003730909.tif 000015
【図１５】
0003730909.tif 000016
【図１６】
0003730909.tif 000017